(57)【要約】      （修正有）【課題】鋸刃の簡便な螺合と、空転による回転軸の安全な制御を兼ね備えた、空転による卓上切断機の危険防止構造を提供する。【解決手段】切断機の伝動を担う回転軸１２に接合された鋸刃１３が、前記回転軸に設けられた歯状溝によって挿し合わされた内側固定部１５及び外側固定部１６に固定されて回転する。前記鋸刃は、その中央に円孔状の軸孔が設けられるとともに、内側固定部１５及び外側固定部１６によって挟まれることにより、前記回転軸に連動して切断操作を行う。以上のように、前記鋸刃と前記回転軸が直接挿し合わされるのではなく、前記内側固定部及び前記外側固定部が前記鋸刃を挟み込んで制御するため、前記鋸刃が切断で挟まった時に、前記回転軸が空転して歯車ユニット及び切断操作を制御して、安全を保持する。【選択図】図１
0003184571.tif 000002
【実用新案登録請求の範囲】
【請求項１】
モーターと、歯車箱と、回転軸と、鋸刃と、保護カバーと、内側固定部と、外側固定部と、ナットとからなる、空転による卓上切断機の危険防止構造であって、
前記モーターは、切断機の一側面に設けられるとともに、その内部に変速を担う前記歯車箱が設けられ、
前記回転軸は、前記歯車箱から伸出するとともに前記保護カバー内側に取り付けられた前記鋸刃の中央に設けられ、
前記内側固定部及び前記外側固定部は、前記鋸刃を挟み込んで固定し、
前記ナットは、前記回転軸の伸出端を螺合し、
前記回転軸の表面に設けられた歯状溝には、前記内側固定部及び前記外側固定部の中央に設けられた挿し合わせ孔が挿し合わされ、
前記内側固定部及び前記外側固定部の挟み込み面には、弾性と耐磨耗性を備えた挟み込み面がそれぞれ設けられて、前記鋸刃の両側を挟み込み、
前記鋸刃は、前記挟み込み面にしっかりと挟み込まれることにより、一体となって回転切断することを特徴とする、空転による卓上切断機の危険防止構造。
【請求項２】
前記挟み込み面における耐磨耗性の塗布層は、ゴム材質からなるとともに、弾性と高摩擦力によって挟み込みを補助することを特徴とする、請求項１に記載の空転による卓上切断機の危険防止構造。
【請求項３】
前記固定片における前記挟み込み面は、挟み込む時に前期鋸刃に周設された穿孔の縁に食い込むことによって、挟み込みによる固定を補助することを特徴とする、請求項１に記載の空転による卓上切断機の危険防止構造。
【考案の詳細な説明】
【技術分野】
【０００１】
本考案は、空転による卓上切断機の危険防止構造に関し、特に、鋸刃と回転軸が直接挿し合わされるのではなく、内側固定部及び外側固定部が鋸刃を挟み込んで回転制御するように組み立てられることで、鋸刃が安全な設定値を超える切断抵抗に遭遇した時に、回転軸が空転することによって、伝動を担う歯車ユニットの安全な転動に影響せず、切断機と、その切断作業の安全を保つことができる、空転による卓上切断機の危険防止構造に関する。
【背景技術】
【０００２】
従来の卓上型小型切断機における鋸刃の取り付け構造について、図４、図５に示す。切断機は、モーター２０に制御された歯車箱２１が回転動力を出力する。回転軸２２から伸出した外端には、鋸刃２３を固定するための端部２４が設けられる。端部２４は、一体成型或いは特殊な固定方法によって予め回転軸２２に形成されるとともに、その端面が平面状を呈する。回転軸２２の中心部には、適切な深さを備えた接合用のねじ孔２２１が形成される。端部２４は、両側に挿し込み柱２４１が適切な高さに凸出してそれぞれ設けられ、中央に凸出したリング２４２が設けられる。回転軸２２には、鋸刃２３中央の軸孔２３１が挿し合わされて固定されるとともに、軸孔２３１に周設された穿孔２３２に挿し込み柱２４１が挿し込まれて接合されることにより、鋸刃２３が連動して転動する。また、鋸刃２３は、その外側に設けられた位置決め部品２５によって圧迫固定されるとともに、位置決め部品２５の外側に設けられたナット２６が回転軸２２の端面におけるねじ孔２２１を螺合することにより、取り付けられる。以上の構造により、モーター２０の駆動に従って鋸刃２３が回転して、切断操作を行う。鋸刃２３は、端部２４に設けられた挿し込み柱２４１が挿し込まれて固定されることにより連動して、回転切断を行う。しかし、挿し込み柱２４１と挿し合わされた穿孔２３２との間には隙間があるため、回転開始時に接触による騒音が生じる。さらに、鋸刃２３が切断時に硬質の材料や特殊な凹みによって挟まった時に、モーター２０が回転を続け、鋸刃２３が回転軸２２と挿し合わされて連結して回転するため、鋸刃２３が受けた反発力を緩衝する空間がなく、モーター２０の回転力が歯車箱２１及び鋸歯に反発力として伝わる。小型切断機において切断時の伝動を担う内部の歯車の形状は、通常小さく、溝の深さも浅いため、モーター２０の動力が大きい場合に、歯車の破裂や、鋸刃２３の鋸歯の断裂・心振れといった損壊が生じる。いずれの損壊も、切断機の使用を不可能にし、生産作業の継続不能と、修繕コストを生じさせるが、上述のような使用状況に対する有効な改善策がなく、切り出し材の材質を不安定にしている。このような状況に対処する必要があることから、本考案は、鋸刃２３が切断作業で上述の状況に面した時に適切な空転操作を行うという切断機の構造的な変更により、切断用鋸刃２３及び機械の安全保持を達成することを開発の主な理由とする。
【考案の概要】
【考案が解決しようとする課題】
【０００３】
本考案は、回転軸に差し込まれた内側固定部及び外側固定部が、挟み込んだ鋸刃を制御して切断することにより、前記鋸刃の切断回転における抵抗が接合の圧力値を超過した場合に、前記鋸刃が回転切断を停止すると同時に、前記モーターからの動力を伝動制御する前記回転軸が空転して、鋸刃と切断機を傷めることがない伝動構造を成すとともに、切断面の品質を保ち、小型切断機の安全な使用と実用性を確保することができる、空転による卓上切断機の危険防止構造を提供することを目的とする。
【課題を解決するための手段】
【０００４】
上述の目的を達成するため、本考案の空転による卓上切断機の危険防止構造は、モーターと、歯車箱と、回転軸と、鋸刃と、保護カバーと、内側固定部と、外側固定部と、ナットとからなる。前記回転軸に差し込まれた前記内側固定部及び前記外側固定部が挟み込んだ前記鋸刃を制御して切断することにより、前記鋸刃の切断回転における抵抗が接合の圧力値を超過した場合に、前記鋸刃が回転切断を停止すると同時に、前記モーターからの動力を伝動制御する前記回転軸が空転するという安全操作を行う。
【図面の簡単な説明】
【０００５】
【図１】本考案の切断機の鋸刃を取り付けた時の分解斜視図である。
【図２】本考案の切断機の鋸刃を取り付けた時の外観図である。
【図３】本考案の切断機の鋸刃を取り付けた時の平面図である。
【図４】従来の切断機の鋸刃を螺合によって取り付けた時の構造を示した概略図である。
【図５】従来の切断機の駆動時における鋸刃の孔縁の移動を示した概略図である。
【考案を実施するための形態】
【０００６】
本考案の空転による卓上切断機の危険防止構造は、切断時に回転軸が空転するという安全構造を提供する。図１〜図３を参照する。本考案は、モーター１０と、歯車箱１１と、回転軸１２と、鋸刃１３と、保護カバー１４と、内側固定部１５と、外側固定部１６と、ナット１７とからなる。切断機の一側面に取り付けられたモーター１０及びその変速を担う歯車箱１１は、回転軸１２へ動力を伝動する。歯車箱１１から伸出した回転軸１２は、保護カバー１４内側に取り付けられた鋸刃１３の中央部分に設けられる。内側固定部１５及び外側固定部１６は、回転軸１２に差し込まれて設けられるとともに、鋸刃１３を挟み込んで固定する。さらに、回転軸１２の外端のねじ孔１２２は、外側固定部１６を内側に挟み込んで、ナット１７によって接合される。これにより、鋸刃１３が挟まれて定位置に固定される。鋸刃１３と回転軸１２をよりしっかりと連動させるため、内側固定部１５及び外側固定部１６が鋸刃１３を挟み込む面には、挟み込み面１５１及び挟み込み面１６１が設けられる。挟み込み面１５１及び挟み込み面１６１は、ゴム製及び耐摩耗性塗料が塗布されてざらざらした表面を持つとともに、直接塗装或いは適切な厚さの重層接着により取り付けられる。これにより、挟み込み面がより大きな摩擦係数を有するので、鋸刃１３がしっかりと挟み込まれて連動して回転運動することができ、切断作業の操作上の助けとなる。また、動力を伝動する回転軸１２の表面には、挿し込んで固定するための歯状溝１２１が設けられる。歯状溝１２１は、しっかりと連結して動力を伝動させるための構造であり、従来の突起と溝が互いに噛み合わされる構造でもかまわない。内側固定部１５及び外側固定部１６の中央軸孔には、歯状溝１２１と挿し合わされるための挿し合わせ孔１５２及び挿し合わせ孔１６２が設けられる。これにより、回転軸１２が内側固定部１５及び外側固定部１６と同時に回転するよう制御できる。本考案は、内側固定部１５及び外側固定部１６が鋸刃１３を内外から摩擦力を持って挟み込むこと、及び円形孔状を呈した中央の軸孔１３２が回転軸１２を環状に囲んでいることによって、鋸刃１３の切断点が受ける抵抗が大き過ぎたり材料の表面が平らでなかったりして鋸歯面１３１が挟まって回転切断を停止したとしても、回転軸１２の動力制御に影響しない。これにより回転軸１２が空転するので、歯車箱１１内部の歯車ユニットの噛み合わせに影響せず、また鋸刃１３に磨耗による損失や騒音が発生することがなくなる。以上により、小型切断機の使用時における安全な切断操作が達成される。
【０００７】
上述の螺合構造による鋸刃１３の取り付けは、挿し込み固定のための棒柱の補助を必要とせず、簡易な組み立てが可能になる。また、鋸刃１３中央における軸孔１３２の外縁には、通常、穿孔１３３が等分に周設される。ゴムの弾性と摩擦効果を備えた、ざらざらした表面の挟み込み面１５１及び挟み込み面１６１は、その塗布材料による弾性により、螺合時に穿孔１３３の縁に適切な深さまで食い込むことで摩擦による接合性が向上し、鋸刃１３をしっかりと接合する。また、切断操作が安定するので、切断時に接触による騒音が発生しない。これにより、安全な切断と交換の利便性という実用特性が得られるとともに、切断時の空転を防ぐという使用上の安全に関わる実用効果を備えた卓上切断機の鋸刃の螺合構造が成される。
【符号の説明】
【０００８】
１０   モーター
１１   歯車箱
１２   回転軸
１２１ 歯状溝
１２２ ねじ孔
１３   鋸刃
１３１ 鋸歯面
１３２ 軸孔
１３３ 穿孔
１４   保護カバー
１５   内側固定部
１５１ 挟み込み面
１６１ 挟み込み面
１５２ 挿し合わせ孔
１６２ 挿し合わせ孔
１６   外側固定部
１７   ナット
２０   モーター
２１   歯車箱
２２   回転軸
２２１ ねじ孔
２３   鋸刃
２３１ 軸孔
２３２ 穿孔
２４   端部
２４１ 挿し込み柱
２４２ リング
２５   位置決め部品
２６   ナット
【図１】
0003184571.tif 000003
【図２】
0003184571.tif 000004
【図３】
0003184571.tif 000005
【図４】
0003184571.tif 000006
【図５】
0003184571.tif 000007